(57)【要約】  基端側の内側フランジと先端側の内側フランジとの間で延びて、危険物質の輸送のための内部通路を定義する内壁と、内部通路で危険物質と関わるように構成されるプロセス制御構造とを備える、危険物質のためのプロセスユニット。危険物質のリークを確実に検出するために、ユニットは、基端側の外側フランジと先端側の外側フランジとの間で、内壁の周囲で延びて、内壁と外壁との間で外部通路を定義する外壁を備える。制御通路は、内壁と外壁との間で延びて設けられてもよく、プロセス制御構造を少なくとも部分的に収容してもよい。
2020507035.tif 000002
【特許請求の範囲】
【請求項１】
少なくとも１つの基端側の内側フランジ（１３）と、少なくとも１つの先端側の内側フランジ（１４）と、の間で延びて、危険物質を輸送する内部通路（１５）を定義する内壁（１２）と、
内部通路で危険物質と関わるように構成されるプロセス制御構造（１６）と、
少なくとも１つの基端側の外側フランジ（１８）と、少なくとも１つの先端側の外側フランジ（１９）と、の間において内壁周囲で延びて、外部通路（２０）を内壁との間で定義する外壁（１７）と、
を備え、
外部通路（２０）は、中心軸に沿って基端側の外側開口と先端側の外側開口との間で延び、
基端側の外側開口は、基端側の外側フランジ内にあって、
先端側の内側開口は、先端側の外側フランジ内にある、危険物質のためのプロセスユニット（１１）。
【請求項２】
内壁（１２）は、内面（３１）及び反対側の外面（３２）を形成し、
内面は内部通路の表面を形成して、外面は外部通路の表面を形成し、
外壁（１７）は、外部通路の表面を形成する内面（３３）と、内部通路及び外部通路から離れる方向に向く反対側の外面（３４）と、を形成し、
内壁の外面は、外壁の内面に面する、請求項１に記載のプロセスユニット。
【請求項３】
内壁の内面（３１）は、内部通路の周囲で円周方向に延びる、請求項２に記載のプロセスユニット。
【請求項４】
外壁の内面（３３）は、外部通路の周囲で円周方向に延びる、請求項２又は３に記載のプロセスユニット。
【請求項５】
内壁の外面の少なくとも５０パーセントは、外部通路に露出している、請求項２から４のいずれか一項に記載のプロセスユニット。
【請求項６】
内壁（１２）及び外壁（１７）は、外壁の内面と内壁の外面との間で延びる剛性の連結部（３５）によって結合され、
剛性の連結部は、外壁に対する内壁の移動を防止し、外部通路（２０）の閉塞空間を占め、換気用の空気の輸送のための自由空間を残す、請求項２から５のいずれか一項に記載のプロセスユニット。
【請求項７】
自由空間は、閉塞空間の少なくとも２５パーセントを構成する、請求項６に記載のプロセスユニット。
【請求項８】
内壁（１２）及び外壁（１７）は、内部通路内の中心軸（４１）の周囲で同心円状に延びる、請求項１から７のいずれか一項に記載のプロセスユニット。
【請求項９】
内壁（１２）は、内壁を通る内部開口（３６）を形成して、内部通路と外部通路との間の流体の伝達を可能にし、
外壁（１７）は、外壁を通る外部開口（３７）を形成して、外部通路と周囲の空間との間の流体の伝達を可能にする、請求項１から８のいずれか一項に記載のプロセスユニット。
【請求項１０】
内部通路（１５）は、基端側の内側開口と先端側の内側開口との間で中心軸に沿って延び、
基端側の内側開口は基端側の内側フランジ内にあり、先端側の内側開口は、先端側の内側フランジ内にあり、
内部開口及び外部開口は、内部通路内の中心軸から径方向に離れる方向にオフセットされる、請求項９に記載のプロセスユニット。
【請求項１１】
内部開口（３６）及び外部開口（３７）は、中心軸に直交する軸の周囲で同心円状に配置される、請求項９又は１０に記載のプロセスユニット。
【請求項１２】
内部開口（３６）及び外部開口（３７）の少なくとも一方は、挿入される制御構造と係合してシールするために設けられる、請求項９から１１のいずれか一項に記載のプロセスユニット。
【請求項１３】
挿入される制御構造と係合してシールするために設けられる内部開口（３６）及び外部開口（３７）の少なくとも一方は、対応する壁に設けられる弾力性のあるガスケットを有する、請求項１２に記載のプロセスユニット。
【請求項１４】
対応する壁に設けられる弾力性のあるガスケットは、内部開口及び／又は外部開口の周囲の縁の凹部に配置される、請求項１３に記載のプロセスユニット。
【請求項１５】
内部開口と外部開口との間で延びて、プロセス制御構造を少なくとも部分的に収容する制御通路（７１，７３）を備える、請求項９から１４のいずれか一項に記載のプロセスユニット。
【請求項１６】
外部通路は、内部通路の周囲で１つの一体的な空間を形成する、請求項１から１５のいずれか一項に記載のプロセスユニット。
【請求項１７】
外部通路は、非円形の断面を有する、請求項１から１６のいずれか一項に記載のプロセスユニット。
【請求項１８】
内壁及び外壁は、一体的に形成される、請求項１から１７のいずれか一項に記載のプロセスユニット。
【請求項１９】
基端側の内側フランジ及び基端側の外側フランジは、基端側の連結面を形成して一体的に形成され、
先端側の内側フランジ及び先端側の外側フランジは、先端側の連結面を形成して一体的に形成される、請求項１から１８のいずれか一項に記載のプロセスユニット。
【請求項２０】
外部通路は、基端側の連結面の外部通路の複数の開口と、先端側の連結面の外部通路の複数の開口との間で延びる、請求項１９に記載のプロセスユニット。
【請求項２１】
先端側の連結面及び基端側の連結面の少なくとも一方は、内壁及び外壁と一体的に形成される、請求項１９又は２０に記載のプロセスユニット。
【請求項２２】
内壁（１２）、外壁（１７）、及び剛性の連結部（３５）は、一体的に形成される、請求項６、７、又は２１に記載のプロセスユニット。
【請求項２３】
内壁（１２）、外壁（１７）、剛性の連結部（３５）、先端側の内側フランジ（１４）、先端側の外側フランジ（１９）、基端側の内側フランジ（１３）、及び基端側の外側フランジ（１８）は、一体的に形成される、請求項２２に記載のプロセスユニット。
【請求項２４】
閉線形状（１１１）は、先端側の内側フランジ（１４）と基端側の内側フランジ（１３）との間の流れ方向に直交する断面内で定義され、
閉線形状は、外部通路（２０）において内壁（１２）の周囲で円周方向に延び、
空気中で延びる閉線形状の長さは、固形物中で延びる閉線形状の長さの少なくとも２５パーセントを構成する、請求項１から２３のいずれか一項に記載のプロセスユニット。
【請求項２５】
危険物質を処理するプロセスシステムであって、
プロセスシステムは、請求項１から２４のいずれか一項に記載の第１のプロセスユニットと、請求項１から２４のいずれか一項に記載の第２のプロセスユニットと、を備え、
第１のプロセスユニットの基端側の内側フランジ（１３）は、第２のプロセスユニットの先端側の内側フランジ（１４）と接触してシールするように配置され、
第１のプロセスユニットの基端側の外側フランジ（１８）は、第２のプロセスユニットの先端側の外側フランジと接触してシールするように配置され、
第１のプロセスユニット及び第２のプロセスユニットを通じて連続的な内部通路と、第１のプロセスユニット及び第２のプロセスユニットを通じて連続的な外部通路と、を提供する、プロセスシステム。
【請求項２６】
請求項１から２４のいずれか一項に記載のプロセスユニットを用いて危険物質を輸送する方法であって、
内部通路（１５）内で、物質圧力で危険物質の流れを提供するステップと、
外部通路（２０）内で、換気圧力で換気用の空気を提供するステップと、
を含み、
換気圧力は、物質圧力以下である、方法。
【請求項２７】
換気圧力は、外壁の外部の周囲の圧力よりも低い、請求項２６に記載の方法。
【請求項２８】
換気圧力は、外壁の外部の周囲の圧力よりも高い、請求項２６に記載の方法。
【請求項２９】
換気用の空気は外部通路で流れが無いように提供され、換気圧力は静圧である、請求項２７又は２８に記載の方法。
【請求項３０】
換気用の空気は外部通路で流れがあるように提供され、換気圧力は動圧である、請求項２７又は２８に記載の方法。
【発明の詳細な説明】
【技術分野】
【０００１】
本発明は、危険物質を処理する分野に関する。より詳しくは、本発明は、危険物質のためのプロセスユニットに関する。プロセスユニットは、基端側の内側フランジと先端側の内側フランジとの間で延びて、危険物質を輸送するための内部通路を定義する内壁と、内部通路で危険物質と関わるように構成されるプロセス制御構造とを備える。
【背景技術】
【０００２】
危険物質の処理及び制御のための様々なシステムが存在する。一例として、当該技術分野において、燃焼システムのための様々なガス燃料システムが知られている。通常、ガス燃料システムは、燃料ガス貯蔵部と、例えば貨物船のメインエンジンとして提供される燃焼エンジンとを含む。燃料ガス供給システムの役割は、燃料ガス貯蔵部から燃焼エンジンへ燃料ガスの流れを提供することである。例えば船舶内の燃料ガスシステムは、大抵、ポンプ及び蒸発システムを含み、時にＦＧＳＳシステムと称される。さらに、時にＧＶＵと称される安全システムは、ＦＧＳＳとエンジンとの間に入れられる。ＧＶＵは、ガス供給を止めるように構成され、例えば不活性ガスでガスシステムのパージを促進する構造と、燃料ガスの供給を制御するための制御構造とを含んでもよい。さらに、ＧＶＵは、例えば温度や圧力等のガス状態を感知するため、ガスの他の特性を感知するため、及び／又はガスを濾過するための構造を含んでもよい。
【０００３】
燃料ガスは、燃焼エンジンに燃料を供給するのに適しており、高可燃性である。このため、リーク防止は重要なことである。さらなる予防として、リーク検出及び／又は封止及び／又はリークを安全な位置に排出する換気のための手段を提供することによってシステムの安全レベルを向上させるために、外部ケーシングを取り入れてもよい。
【０００４】
危険物質の処理において、通常、様々な制御構造が適用される。例示の当該構造は、バルブ、ポンプ、圧力センサ、温度センサ、マスフローセンサ、フィルタ、及びプロセス制御のために含まれる他の構造を含む。当該制御構造は、大抵、危険物質を直接的に伝達し、プロセス制御構造の近くでリークを検出することが特に必要である。
【０００５】
リークの検出のための必要性が増大しているため、燃料ガス供給システムは、時に、バルブ構造の周囲のエリアにおいて換気空間を提供する。既知のシステムにおいて、換気空間は、バルブコネクタ、バルブアクチュエータ、及び他の周辺機器を含むバルブ全体構造を包含する。しかしながら、換気は、コストがかかり、比較的大量の換気を行うような場合、リークした燃料ガスを検出するのに比較的長時間を要し得る。さらに、場所を取り、制御構造へのアクセスを困難にする。
【発明の概要】
【０００６】
上記背景において、とりわけ、リークの検出の向上、省スペースのプロセスユニットの提供、及び制御構造へのより好都合なアクセスの提供が、本発明の実施形態の目的である。さらに、安全性の向上、及びリークが発生する時点とリークが検出される時点との間のリードタイムの削減が目的であってもよい。
【０００７】
第１態様では、本発明は、危険物質のためのプロセスユニットを提供する。プロセスユニットは、基端側の内側フランジと先端側の内側フランジとの間で延びて、危険物質を輸送するための内部通路を定義する内壁と、内部通路で危険物質と関わるように構成されるプロセス制御構造と、基端側の外側フランジと先端側の外側フランジとの間において内壁周囲で延びて内壁との間で外部通路を定義する外壁とを備える。
【０００８】
二重管システムにおいて安全性を向上させるために、内部通路からリークする危険物質が外部通路に収容されるように、内壁は外壁に覆われている。したがって、外部通路によって、内部通路からのリークの検出を行うことができる。
【０００９】
外壁が内壁の周囲で延びるので、内部通路から偶発的にリークする危険物質が、周囲の空間を汚染する前に外部通路を通過する必要がある。それゆえ、外部通路は、リークする危険物質の検出手段、及び任意で危険物質を換気により運び去る手段を形成する。
【００１０】
リークが発生した場合、外部通路の変化を監視することによって、例えば、外部通路で危険物質の成分を検出することによって又は外部通路の圧力変化を検出することによって、危険物質のリークを効率良く検出することができる。それゆえ、プロセスユニットの近くの危険物質のリスクを低減し得る。
【００１１】
ここでは、定義により、「中心軸」という用語は、内部通路を通る断面の幾何学的な中心点を通る軸を指す。内部通路が円形の断面の場合、中心軸は、円の中心をつなぐ軸にある。ここでは、定義により、「径方向」という用語は、中心軸から直交方向に離れる方向を指す。ここで、径方向の用語は、内部通路の断面が円形であることを要しない。
【００１２】
特に、危険物質は、流体物質、例えば内部通路を通じてポンプで送られる物質であってもよい。流体物質は、気体又は液体物質であってもよい。流体物質は、可燃性、毒性のある物質、又はそうでない場合、例えば、特に汚染効果のため、生物にとって健康に悪いため、又は爆発性があるため等の理由で、周囲の空間において好ましくないものであってもよい。
【００１３】
特に、内壁は、管状であって、流体物質の輸送を促進する。内壁は、ステンレス鋼、アルミニウム、又は問題となる危険物質に応じた様々な材料組成で形成されていてもよい。
【００１４】
いくつかの二重壁のユニットを互いに延長して組み立てる場合、内壁が外壁によって覆われているように、外部通路及び内部通路は、隣接するユニットの通路と一致するべきである。
【００１５】
包囲の度合いが高くなるほど、内壁の内容物が外部通路を通過せずに内部通路から周囲の空間へ移動するリスクが低くなる。特に、基端側の内側フランジ及び先端側の内側フランジは、ユニットをパイプシステム又は同様の他のユニットに取り付け可能な構造であってもよい。一例では、２つのユニットが結合される。２つのユニットのうち一方は、バルブ構造を形成し、２つのユニットのうち他方は、センサ構造又はパージ構造を定義する。
【００１６】
フランジは、当該フランジと、隣接して接続するフランジとの間のリークを防ぐシール手段を含んでもよく、フランジは、例えば、ボルトを受け入れるためのねじ穴等の穴の形態の締結手段を含んでもよい。
【００１７】
プロセスユニットは、基端側の内側フランジ内に、内部通路への基端側の内側開口を形成する。
【００１８】
先端側の内側フランジ内で、プロセスユニットは、内部通路への先端側の内側開口を形成する。
【００１９】
基端側の外側フランジ内で、プロセスユニットは、外部通路への基端側の外側開口を形成する。
【００２０】
先端側の外側フランジ内で、プロセスユニットは、外部通路への先端側の外側開口を形成する。
【００２１】
プロセス制御構造は、内部通路で危険物質と関わることができる。具体的には、プロセス制御構造は、内部通路で輸送される危険物質と直接接触していてもよく、特に、内部通路及び外部通路の外側の周囲の空間にある構造によって制御されるか、又は当該構造とつながっていてもよい。
【００２２】
特に、外壁は、流体材料の輸送を容易にする管状であってもよい。ここで、管状とは、例えば円形状や楕円形状等の、外部通路内の流れの方向に直交する断面で任意の形状を有することを意味する。外壁の内面は、例えば、基端側のフランジから先端側のフランジへ向かって不変の断面で延びていてもよい。
【００２３】
あるいは、外壁の内面の断面は、形状を変更するか、又は内部通路は、２つの異なる外側フランジでプロセスユニットから出る２つの分離した通路に分かれる。
【００２４】
外壁は、内壁と同じ材料、すなわち、例えばステンレス鋼やアルミニウムや問題となる危険物質に応じた様々な材料構成等で形成されてもよい。あるいは、外壁は、内壁の材料とは異なる複数の材料で形成されてもよい。
【００２５】
特に、基端側の外側フランジ及び先端側の外側フランジは、ユニットをパイプシステム又は同様の設計の他のユニットに取り付け可能な構造であってもよい。フランジは、フランジと、隣接する連結フランジとの間のリークを防ぐためのシール手段を含んでもよく、例えば、ボルトを受け入れるためのねじ穴等の穴の形態の締結手段を含んでもよい。外側フランジは、例えば、外側フランジと内側フランジとの間の一様なスペースがフランジの外周に沿って定義されるように、内側フランジの周囲で同心円状に配置されてもよい。
【００２６】
特に、外部通路は、
ａ）不活性ガスや引火性の液体の静圧等の静圧を維持するため、又は
ｂ）リークするガスが外部通路を通じた輸送によって運ばれるように、換気用の空気を輸送するためであってもよい。
【００２７】
ａ）によれば、外部通路の圧力状態の変化を検出することによって、リークを検出することができる。この目的のために、特に、外部通路は、内部通路の圧力とは異なる圧力、すなわち内部通路の圧力よりも高い又は低い圧力であってもよい。
【００２８】
ｂ）によれば、リークはセンサによって検出することができる。センサは、外部通路又は外部通路の外側で換気される空気内の危険物質の含有量を感知することができる。
【００２９】
内壁は、内面及び反対側の外面を形成してもよい。内面は、内部通路内の表面を形成してもよく、外面は、外部通路内の表面を形成してもよい。
【００３０】
外壁は、内面及び反対側の外面を形成してもよい。内面は、外部通路内の表面を形成してもよく、外面は、内部通路及び外部通路から離れる方向に向いていてもよい。例えば、外面は、プロセスユニットの外側の面を形成し、周囲の空間に面してもよい。
【００３１】
内壁は、厚みが均一な壁を有してもよく、それによって、内壁の内面及び外面は平行な面となる。あるいは、内壁は、厚みが不均一な壁を有してもよい。一実施形態では、内部通路の断面は不変であって、内壁の壁の厚みは一定である。別の実施形態では、内部通路の断面及び内壁の厚みの両方が変化する。
【００３２】
外壁は、厚みが均一な壁を有してもよく、それによって、外壁の内面及び外面は平行な面となる。あるいは、外壁は、厚みが不均一な壁を有してもよい。一実施形態では、外部通路の断面は不変であって、外壁の壁の厚みは一定である。別の実施形態では、外部通路の断面及び外壁の壁の厚みの両方が変化する。
【００３３】
内壁の内面及び外面の両方が内部通路の周囲で円周方向に延びてもよい。一方、外壁の内面及び外面は、外部通路の周囲で円周方向に延びてもよい。
【００３４】
内壁と外壁との間の相対的な位置は、内部通路及び外部通路の両方において精確で一定の流れの状態を確保するのに重要である。内壁は、外壁又はフランジによって支持されてもよい。２本のパイプの相対的な位置の固定方法は、連結部の実装である。連結部は、例えば溶接や摩擦等によって適切な位置に保持されてもよい。
【００３５】
一実施形態では、本開示は、内壁が例えば剛性の連結部の形態等の連結部を通じて外壁によって保持されるユニットを提供する。ここで、剛性の連結部は、外壁に対する内壁の位置を固定状態に維持する連結部、すなわち多孔性ではなく、弾力性がなく、内壁と外壁との間で移動しない連結部と定義される。
【００３６】
外壁の内面と内壁の外面との間で延びる剛性の連結部は、内壁及び外壁を結合してもよい。剛性の連結部は、外壁に対する内壁の移動を防いでもよい。
【００３７】
剛性の連結部は、壁と壁との間に配置される別部材であってもよく、また、壁及び連結部は一体的に形成されてもよい。
【００３８】
本明細書において、「一体的に形成される」とは、部品を破壊することなく分解することができないこととみなされる。一体成形、溶接又は接着、例えば３Ｄプリントによる追加の製造工程での形成、又は１つのブロック材料からの切断又は圧延が、実施例に含まれる。
【００３９】
あるいは、壁及び連結部は、ねじ、リベット、又は例えば摩擦等による結合方法で組み立てられるいくつかの部材で形成される。
【００４０】
剛性の連結部は、内壁と外壁との間で延びるので、外部通路内の空間を占有する。ここで、当該空間は、「占有空間」と呼ばれる。残りの空間は、外部通路内の流れのために利用可能である。ここで、当該空間は、「自由空間」と呼ばれる。
【００４１】
自由空間は、外部通路の換気手段を提供し、閉塞空間の少なくとも２５％の体積で構成されてもよい。これにより、外部通路の比較的小さな範囲で換気を行うことができ、さらに、プロセスユニットをよりコンパクトな設計にすることができる。
【００４２】
内壁及び外壁は、内部通路の中心軸の周囲で同心円状に延びてもよい。ここで、同心円状とは、中心軸に直交する断面で内壁及び外壁が同じ幾何中心を有することを意味する。
【００４３】
周囲の空間と内部通路との間の伝達を可能にするために、内壁は、内壁を通る内部開口を形成してもよい。内部開口によって、内部通路と外部通路との間の流体の伝達を可能にしてもよい。また、外壁は、外壁を通る開口（ここでは外部開口と呼ばれる開口）を形成してもよい。外部開口によって、外部通路と外壁の外側の周囲の空間との間の流体の伝達を可能にしてもよい。
【００４４】
内部通路は、基端側の内側開口と先端側の内側開口との間で中心軸に沿って延びてもよい。基端側の内側開口は基端側の内側フランジ内にあって、先端側の内側開口は先端側の内側フランジ内にある。内部開口及び外部開口は、内部通路の中心軸から離れる径方向にオフセットされてもよい。そのような径方向の開口の配置によって、２つの開口間にチャンバを形成することができる。当該チャンバは、内部開口を通じた好ましくない材料のリークの検出のために用いられてもよい。
【００４５】
特に、内部開口及び外部開口は、中心軸に直交する軸の周囲で同心円状に並んでもよい。同心円状の配置によって、両方の開口を通じて楕円状の剛性部材を挿入することができる。例えば、バルブ、圧力センサ、又は危険物質を伝達するための他の構造のための連結部等のクレームにあげられた制御構造を挿入することができる。
【００４６】
内部開口及び外部開口の少なくとも一方は、挿入される制御構造と係合してシールするために設けられ、それによって、シールして内部開口及び外部開口を通じた流体の伝達を防ぐ。この目的のために、挿入される制御構造と係合してシールするために設けられる内部開口及び外部開口の少なくとも一方は、対応する壁に設けられる弾力性のあるガスケットを備える。ガスケットは、Ｏリング等であってもよい。Ｏリングは、Ｏリングが凹部に収容されるように内部開口及び外部開口の少なくとも一方の縁に凹部を形成することによって組み込まれてもよい。
【００４７】
ユニットは、例えば内部開口と外部開口とを接続して内壁と外壁との間で延びる制御通路をさらに備えてもよい。当該制御通路は、制御構造又は制御構造の少なくとも部品を収容してもよい。制御通路は、制御構造が内部通路の危険物質と関わって、外部からアクセス可能にしてもよい。
【００４８】
制御通路は、例えば、円形の断面を有する。
【００４９】
外部通路は、内部通路の周囲で１つの一体的な空間を形成してもよい。これにより、内部通路からリークする危険物質が、安全に検出され取り除かれる外部通路に入る可能性が増加する。
【００５０】
外部通路は、非円形の断面を有していてもよい。特に、外部通路の断面は、上述の内部開口及び外部開口及び／又は制御通路で円形の断面から非円形の断面に変化してもよい。
【００５１】
基端側の内側フランジ及び基端側の外側フランジは、一体的に（内側フランジ及び外側フランジは破壊することなく分解することができないと規定した前述の定義を参照）形成されていてもよい。一体成形、溶接又は接着、例えば３Ｄプリントによる追加の製造工程での形成、又は１つのブロック材料からの切断又は圧延が、実施例に含まれる。
【００５２】
また、先端側の内側フランジ及び先端側の外側フランジは、先端側の連結面を形成して一体的に形成されてもよい。
【００５３】
外部通路は、基端側の連結面内の複数の外部通路の開口と、先端側の連結面内の複数の外部通路の開口との間で延びてもよい。特に、開口は、少なくとも１つ、好ましくはすべての開口の大きさが径方向の方が他の方向よりも小さい形状であってもよい。ここで、「径方向」とは、中心軸に直交する方向を意味する。
【００５４】
先端側の連結面及び基端側の連結面の少なくとも一方の複数の開口は、中心軸の周囲で対称的に配置されてもよい。あるいは、先端側の連結面及び基端側の連結面の少なくとも一方の複数の開口は、中心軸に対して非対称的に配置されてもよい。
【００５５】
一実施形態では、先端側の連結面及び基端側の連結面の少なくとも一方は、内壁及び外壁と一体的に形成される。本実施形態では、内壁及び外壁は、先端側の連結面と基端側の連結面との間で互いに完全に別々に伸びてもよい。外壁に対する内壁の位置は、両方の壁が同じ連結面に接続されることによって固定されてもよい。本実施形態では、剛性の連結部は用いられなくてもよい。
【００５６】
一実施形態では、内壁及び外壁は、一体的に形成されてもよい。
【００５７】
一実施形態では、内壁及び外壁は、剛性の連結部によって結合される。剛性の連結部は、内壁及び外壁と一体的に形成される。
【００５８】
一実施形態では、内壁、外壁、連結部、先端側の内側フランジ、先端側の外側フランジ、基端側の内側フランジ、及び基端側の外側フランジは、一体的に形成される。
【００５９】
閉線は、先端側の内側フランジと基端側の内側フランジとの間の流れ方向に直交する断面で定義されてもよい。定義によって、閉線形状は、内壁の周囲で円周方向に、外部通路内で延びる。この閉線の定義は、さらに、図１１と関連して規定される。効率的な換気を提供するために、閉線は、固形物を通じて延びる閉線の距離の少なくとも２５パーセントの距離を自由空間内で延びてもよい。外部通路内の自由空間のこの大きさによって、材料異常により外部通路をバイパスして危険物質がリークする結果となる可能性を少なくする。固形物は、例えば、上述の剛性の連結部によって構成される。
【００６０】
プロセスユニットは、制御通路の第１の開口と、外部通路の第２の開口との間で延びる導管を少なくとも１本有する圧力均一構造を備えてもよく、それによって、制御通路と外部通路との間で流体の伝達を行い、制御通路及び外部通路の圧力を均一にする。圧力均一構造によって、制御通路では、外部通路との流体の伝達が行われ、制御通路を通じて周囲の空間にリークする危険物質が検出されてもよく、任意で、外部通路を通じて除去されてもよい。
【００６１】
一実施形態では、圧力均一構造は、それぞれの導管が制御通路の第１の開口と外部通路の第２の開口との間で延びる少なくとも２本の導管を形成し、それによって、少なくとも２本の導管のそれぞれにおいて制御通路と外部通路との間で同時に流体の伝達を行わせる。これによって、外部通路の換気中に制御通路の換気を行うことができる。
【００６２】
プロセスユニットは、制御通路に配置されて、制御通路及び圧力均一構造を通じた内部通路と外部通路との間の流れを防止する内部シール構造を備えてもよい。内部シール構造は、制御通路の内壁とプロセス制御構造との間に配置される、例えばゴム材料の弾力性のあるガスケットを含んでもよい。
【００６３】
プロセスユニットは、制御通路に配置されて、制御通路と外部通路の外側の周囲の空間との間の流れを防止する外部シール構造を備えてもよい。外部シール構造は、制御通路の内壁とプロセス制御構造との間に配置される、弾力性のあるガスケットを含んでもよい。
【００６４】
内部シール構造及び外部シール構造は、制御通路内のシールされたチャンバを定義してもよい。前述の圧力均一構造の少なくとも１つの第１の開口は、チャンバ内にあってもよく、それによって、チャンバと外部通路との間で流体の伝達があってもよい。
【００６５】
プロセス制御構造は、危険物質と関わってもよく、内部通路内の危険物質と直接的に接触してもよい。さらに、プロセス制御構造は、点検、検査、交換、動力供給、又はケーブルやチューブ等を通じたデータ通信のために、制御通路を通じて、アクセス可能、又は少なくとも部分的にアクセス可能であってもよい。制御構造は、例えば、バルブ、センサ、フィルタ、ポンプ、点検器具、及びその組み合わせで構成されるグループから選択される部材であってもよい。これらの部材によって、制御動作が容易になる。これらは、通常、定期的に点検されるか、又はデータ交換されるか、動力供給される。
【００６６】
特に、制御構造は、内部通路で移動可能であってそれにより内部通路を通じた流れを制御するバルブ部材と、バルブ部材を動かすために、内部通路及び外部通路の外部の周囲の空間に配置されるバルブアクチュエータと、アクチュエータとバルブ部材との間の連結部であって、制御通路内で延びる連結部とによって構成されてもよい。
【００６７】
制御構造がバルブ部材である実施形態では、内部シール構造及び外部シール構造は、内部通路からアクチュエータをシールするために、さらに連結部が延びるチャンバを定義するために、連結部の周囲に配置されてもよい。
【００６８】
特に、バルブ部材は連結部の回転によって内部通路で回転可能でそれによって内部通路を通じた流れを制御してもよい。この状況において、内部シール構造及び外部シール構造は、チャンバがシールされた状態を維持し、さらに、内部通路と外部通路との間、並びにチャンバと内部通路及び外部通路の外側の周囲の空間との間の流体の伝達を防止する。リークが発生した場合、危険物質は、周囲の空間に達する前に外部通路にまず達する。すなわち、危険物質が周囲の空間に放出される前に、内部シール構造及び外部シール構造の両方でリークが生じる。内部シール構造でリークしている場合、内部通路から放出される危険物質は、外部通路で検出することができ、任意で、外部通路で換気によって運ばれてもよい。
【００６９】
基端側の外側フランジは、基端側の内側フランジの周囲で延びてもよく、先端側の外側フランジは、先端側の内側フランジの周囲で延びてもよい。一実施形態では、フランジは、円形であって、一組で同心円状、すなわち、基端側のフランジが同一の中心点を共有して先端側のフランジが同一の中心点を共有するように配置される。
【００７０】
基端側の外側フランジは、基端側の内側フランジと同一面内にあってもよく、先端側の内側フランジは、先端側の内側フランジと同一面内にあってもよい。このようにして、内部通路及び外部通路の両方を、管構造、例えば内側の管及び外側の管の二重管に接続することができ、両方の管の接触部は、１つの共通の平面に沿っていてもよい。
【００７１】
危険物質の流れが内部通路における物質圧力で生じるように、さらに、換気圧力での換気用の空気の流れが外部通路で生じるように、プロセスユニットがプロセスシステムに接続されていてもよい。換気圧力は、物質圧力よりも低くてもよい。換気圧力は、外壁の外部の周囲の圧力よりも低くてもよい。この圧力の組み合わせによって、危険物質が周囲の空間に広がるリスクが、換気によりさらに低減される。
【００７２】
代替の実施形態では、外部通路の圧力は、危険物質が内部通路から外部通路へ流れにくくするように、物質圧力と等しくてもよい。本実施形態では、好ましくは、不活性ガスや引火性の液体等を用いて換気圧力であってもよい。
【００７３】
別の代替の実施形態では、外部通路の圧力は、物質圧力と異なっていてもよい、すなわち、内壁、内部シール、外壁、又は外部シールを通じたリークが外部通路における圧力変化をもたらすように、物質圧力よりも高くてもよく低くてもよい。この圧力の変化を、圧力センサによって検出することができる。本実施形態では、外部通路の圧力は、不活性ガスや引火性の液体等を用いて提供されてもよい。
【００７４】
制御通路、特に、内部シール構造と外部シール構造との間の前述のチャンバによって構成される制御通路の一部において換気用の空気の流れが提供されるのが有効である。これは、少なくとも２本の導管を形成する圧力均一構造によって促進されてもよい。この場合、制御通路を通じて危険物質が広がるリスクは、制御通路の外側での物質の換気によってさらに低減される。
【００７５】
代替の実施形態では、危険物質の流れは、内部通路の物質圧力で提供され、検出される流体の流れが無い静圧は、外部通路で提供される。検出ガスは、例えば、不活性ガス、引火性流体、又は少なくとも危険ではない物質であってもよい。特に、静圧は、物質圧力よりも高くてもよい。静圧は、制御通路内、又は、少なくとも、圧力均一構造の導管を通じた内部シール構造と外部シール構造との間の制御通路のチャンバ部で提供されてもよい。
【００７６】
特に、プロセスユニットは、例えばメインエンジンや車や船舶等の燃焼システムにおける燃料システムの燃料ガスの流れを制御するために用いられてもよい。例えば、バルブ構造を形成する複数のユニット、ポンプを形成する複数のユニット、又はフィルタを形成する複数のユニット等の同様の複数のユニットを備えるシステムの一部を構成してもよい。
【００７７】
第２態様では、本開示は、１つのユニットの内部通路が他のユニットの内部通路の延長となるように、及び／又は１つのユニットの外部通路が他のユニットの外部通路の延長となるように組み合わされるいくつかのプロセスユニットを有するプロセスシステムを提供する。
【００７８】
第３態様では、本開示は、本開示の第１態様に係るプロセスユニットを用いて危険物質を輸送する方法を提供する。
【００７９】
当該方法は、危険物質の流れを内部通路（６）の物質圧力で提供するステップを含む。換気用の空気は、外部通路（１０）の換気圧力で提供される。当該方法は、換気圧力を、物質圧力以下に設定するステップを含む。
【００８０】
一実施形態では、当該方法は、換気圧力を外壁の外側の周囲の圧力よりも低く設定するステップを含む。代替の実施形態では、当該方法は、換気圧力を外壁の外側の周囲の圧力よりも高く設定するステップを含む。
【００８１】
換気用の空気は、外部通路で流れていてもよく、又は流れていなくてもよい。換気圧力は、静圧又は動圧であってもよい。
【図面の簡単な説明】
【００８２】
【図１】プロセスユニットの斜視図を示す。
【図２】プロセスユニットの断面図を示す。
【図３】制御構造がないプロセスユニットを示す。
【図４】制御構造がないプロセスユニットを示す。
【図５】外壁及び内壁に組み込まれたシールガスケットを有するプロセスユニットの詳細を示す。
【図６】外壁及び内壁に組み込まれたシールガスケットを有するプロセスユニットの詳細を示す。
【図７】内部通路及び外部通路の中心を通る断面図を示す。
【図８】さらに詳細の断面図を示す。
【図９】さらに詳細の断面図を示す。
【図１０】プロセスユニットの正面を示す。
【図１１】閉線形状を示す。
【図１２】流れを制御するため、又は危険物質の特性を感知するためのプロセスユニットの例を概略的に示す。
【図１３】流れを制御するため、又は危険物質の特性を感知するためのプロセスユニットの例を概略的に示す。
【図１４】船舶の燃焼システムにおける燃料ガスの流れを制御するために設けられたプロセスユニットを概略的に示す。
【図１５】プロセスユニットの異なる実施例を概略的に開示する。
【図１６】プロセスユニットの異なる実施例を概略的に開示する。
【図１７】プロセスユニットの異なる実施例を概略的に開示する。
【図１８】プロセスユニットの異なる実施例を概略的に開示する。
【図１９】プロセスユニットの異なる実施例を概略的に開示する。
【図２０】プロセスユニットの異なる実施例を概略的に開示する。
【図２１】プロセスユニットの異なる実施例を概略的に開示する。
【図２２】プロセスユニットの異なる実施例を概略的に開示する。
【図２３】プロセスユニットの異なる実施例を概略的に開示する。
【図２４】プロセスユニットの異なる実施例を概略的に開示する。
【図２５】プロセスユニットの異なる実施例を概略的に開示する。
【図２６】内壁の斜視図を示す。
【発明を実施するための形態】
【００８３】
本発明の実施形態を、添付図面を参照してさらに詳細に説明する。
【００８４】
（図面の詳細な説明）
図１及び図２は、プロセスユニット１１の実施形態を示す。図１では、プロセスユニットは斜視図で示されており、図２では、プロセスユニットは断面斜視図で示されている。
【００８５】
プロセスユニットは、基端側の内側フランジ１３と先端側の内側フランジ１４との間で延びる内壁１２を備える。内壁１２は、危険物質を輸送することができる内部通路１５を定義する。
【００８６】
プロセス制御構造１６は、内部通路内の危険物質と関わるように構成される。プロセス制御構造は、バルブ、フィルタ、センサ、又は内部通路で作動する同様の構造であってもよい。
【００８７】
外壁１７は、内壁１２の周囲で延び、基端側の外側フランジ１８と先端側の外側フランジ１９との間で延びる。外壁は、内壁と外壁との間であって基端側及び先端側の外側フランジの間で延びる外部通路２０を形成する。
【００８８】
図３及び図４は、プロセス制御構造がない状態の図１及び図２の実施形態を示す。当該図において、内壁１２が内面３１及び反対側の外面３２を形成することがより明確に示される。内面は、内部通路に内側で面し、面を形成する。外面３２は、外部通路に外側で面し、面を形成する。
【００８９】
外壁１７は、外部通路の面を形成する内面３３と、内部通路及び外部通路から離れる方向に向く反対側の外面３４とを形成する。本実施形態では、外壁１７の外面３４はユニットの外面を形成し、内壁の外面３２は外壁の内面３３に面する。内壁の外面は内部通路の周囲で円周方向に延びて、外壁の内面は、外部通路の周囲で円周方向に延びる。
【００９０】
内壁１２及び外壁１７は、外壁の内面と内壁の外面との間で延びる剛性の連結部３５によって連結される。連結部は、成形プロセスにおいて、内壁及び外壁と共に一体的に形成される。剛性の連結部は、外壁に対して内壁が移動することを妨げて、それによって、内部通路、外部通路の流れの状態を確実に静的にする。
【００９１】
剛性の連結部は、外部通路内で空間を占めるため、外部通路の容積を減らす。本開示では、これは、外部通路における閉塞空間（ａ  ｂｌｏｃｋｅｄ  ｓｐａｃｅ）と呼ばれる。残りの自由空間は、換気用の空気を輸送するために利用可能である。大きな自由空間によって、内部通路からのリークが外部通路で止まる可能性が高まる。
【００９２】
図４は、内壁１２及び外壁１７が内部通路の中心軸４１の周囲で同心円状に延びることを示す。
【００９３】
また、図３及び図４は、内壁が、内壁を通る内部開口３６を形成することを明確に示す。内部開口は、内部通路と外部通路との間の流体の伝達を可能とし、外壁は、外壁を通る外部開口３７を形成する。外部開口は、外部通路と周囲の空間との間の流体の伝達を可能にする。内部開口及び外部開口は、中心軸３８の周囲で中心軸の方向にオフセットされて同心円状に並ぶ。すなわち、中心軸４１から距離が異なっている。開口面と挿入される制御構造との間で係合して確実にシールされるように、内部及び外部の開口が形成され得る。
【００９４】
図１〜図４の実施形態では、外部通路は、外壁の基端部と先端部との間の１つの一体的な空間を形成する。
【００９５】
図５は、バルブユニットとして構成されるプロセスユニット５１を示す。バルブユニットは、外部開口及び内部開口を通って延びる連結部５２を備える。連結部５２は、内部通路に位置するバルブ部材５３を作動する。さらに、図５は、別の外部開口及び内部開口に挿入される圧力伝達部５４を示す。
【００９６】
連結部５２は、外部開口上のカバー５５によってシールドされる。カバーは、連結部を駆動するためのアクチュエータを支持する。
【００９７】
図５〜図６は、内部開口及び外部開口と制御構造との間をシールするために外壁及び内壁に設けられたシールガスケットを備えるプロセスユニットの詳細を示す。外壁１７は、外壁の外部開口と連結部５２又は同様の制御構造との間をシールするＯリング５６を保持し、それによって、外部開口で流体の伝達が生じることを防止する。
【００９８】
内壁１２は、内壁の内部開口と連結部５２又は同様の制御構造との間をシールするＯリング５７を保持し、それによって、内部開口５３で流体の伝達が生じることを防止する。
【００９９】
図６は、内部開口３６及び外部開口３７におけるＯリング５６，５７の拡大図を示す。
【０１００】
図７は、制御通路７１を備えるプロセスユニットの実施形態を示す。バルブ部材の回転は、制御通路７１を通って延びる連結部を通じてアクチュエータ７２によって行われる。制御通路は、管形状を形成し、外部開口及び内部開口を接続する。
【０１０１】
プロセスユニットは、圧力センサ７４のための空間を提供する別の制御通路７３を備える。
【０１０２】
制御通路は、内部通路への内部開口と、外壁の外側の周囲の空間への外壁を通る外部開口との両方を形成する。さらに、制御通路７１は、制御通路を延ばす延長管を形成するカバー５５の内側の周囲の空間への開口を形成する。制御通路７３は内部通路への管状通路を形成し、圧力センサ７４はそこに挿入される。
【０１０３】
圧力均一構造は、制御通路と外部通路との間の流体の伝達を生じさせ、それによって、制御通路への危険物質のリークの検出を行い、外部通路を通じた危険物質の放出を可能にする。本開示の実施形態では、圧力均一構造は、制御通路の第１の開口と外部通路の第２の開口との間で延びる２本の導管７５，７６を備える。
【０１０４】
図８及び図９は、図７のプロセスユニットの側面視を示す。図９は、図３の制御通路の詳細の拡大図である。
【０１０５】
図９の拡大図は、制御通路に配置されて、制御通路７１，７３を通じた内部通路１５と外部通路２０との間の流れを防止する内部シール構造９１をプロセスユニットが備えることを示す。さらに、プロセスユニットは、制御通路の内部シール構造の上に配置されて、制御通路と外部通路の外側の周囲の空間との間の流れを防止する外部シール構造９２を備える。内部シール構造及び外部シール構造は、制御通路内にシールされたチャンバを定義し、２本の導管７５，７６の第１の開口９４は、チャンバ内にある。それによって、外部通路で換気用の空気の流れがあるときに、２本の導管７５，７６は、チャンバを洗い流すことができる。プロセスユニットが２本の導管７５，７６のうち１本しか形成されていない場合、洗浄は行われない。この状況において、外部通路の圧力はチャンバ９３で静圧となり、流れは内部通路からチャンバへ危険物質のリークに反応したときにのみ生じる。
【０１０６】
図１０は、プロセスユニットの正面図を示す。本図では、基端側の外部フランジ１８が基端側の内部フランジ１３の周囲で延びることを示す。
【０１０７】
内壁及び外壁は、外壁の内面と内壁の外面との間で延びて外壁に対する内壁の移動を防止する剛性の連結部によって接続される。剛性の連結部は、外部通路２０を形成する開口の間の参照番号３５によって示される（図３も参照）。連結部は、外部通路において閉塞空間を占めるため、プロセスユニットにおける圧力低下を増大させる。換気用の空気の輸送のために可能な限り多くの自由空間を残すことが好ましいが、強固であって任意で剛性の内壁と外壁との間の連結部を有することが好ましい。
【０１０８】
材料不良により、リークが検出され任意でプロセスユニットから離れて換気され得る外部通路に接続することなく、内部通路から周囲の空間への直接的な流路の形成につながらないようにするために、内部通路を覆う外部通路ができる限り多くの自由空間を有することが好ましい。
【０１０９】
開口１０１は、二重管システムの接続、又は内部通路及び外部通路への危険物質及び換気用の空気を供給するための同等構造の別の制御ユニットへの接続のために設けられる。先端側の外側フランジ及び内側フランジは、基本的に、基端側の内側フランジ及び外側フランジと一致するため、分離して図示していない。
【０１１０】
図１０では、剛性の連結部は、内壁及び外壁と一体的に成形される。あるいは、剛性の連結部は、別個に形成されて、例えば溶接又は他のプロセスによって内壁及び外壁に接着結合される。
【０１１１】
図１１は、図１０と同様の断面図を示すが、外部通路において内壁の周囲で円周方向に延びる線として定義される閉線形状を示す。一実施形態では、本発明に係るプロセスユニットは、少なくとも１つの閉線形状が内部通路内の流れ方向に直交する基端側及び先端側のフランジの間の断面に関して定義されるように形成される。具体的には、閉線形状１１１は、任意の形状であってもよいが、内壁と外壁との間でなければならず、中心軸から径方向外側に引かれるいかなる線も閉線形状と一度だけ交差するように定義されなければならず、そのように定義される閉線形状は、部分的に空気を通じて、部分的に固体物を通じて延びてもよい。固体物は、前記剛性の連結部によって形成される。当該形状は、空気中で延びる閉線形状の一部
【数１】
2020507035.tif 000003
が、剛性の連結部２４によって構成される固体物を通じて延びる閉線形状の部分
【数２】
2020507035.tif 000004
の長さの少なくとも２５パーセントを構成するというルールに従う。この比率は、次のように合計されてもよい。
【０１１２】
【数３】
2020507035.tif 000005
【０１１３】
図１１は、閉線形状が円形である特定の実施形態を示す。
【０１１４】
図１２は、ガス燃焼システムに挿入されてメインエンジンのための燃焼ガスの流れを制御するバルブ部材５３を有するバルブを形成するプロセスユニットを概略的に示す。
【０１１５】
図１３は、ガス燃焼システムに挿入されてメインエンジンのための燃焼ガスの圧力を感知するためのセンサユニット７４を形成するプロセスユニットを概略的に示す。
【０１１６】
図１２及び図１３で示される実施形態では、圧力均一構造７５は、唯一の導管を形成し、（内部シール構造９１及び外部シール構造９２の間の）制御通路のチャンバ部の換気をすることはできないが、リークの場合、リークにより流れが生じ、導管７５を通じた流れを形成する。図１２の実施形態では、外部通路２０は、開放端及び流れの矢印を有する換気空間として示される。図１３の実施形態では、外部通路２０と、内部シール構造９１及び外部シール構造９２の間のチャンバとは、例えば、流れの矢印がなく、閉じた空間すなわち制御構造の外側で閉じていることを示す、静圧での流れのない不活性ガスを含む。
【０１１７】
図１４は、本発明に係るプロセスユニットを有する船舶１４１を示す。
【０１１８】
図１４の実施形態では、プロセスユニットは、燃焼システム、この例では船舶のメインエンジン１４２への燃料ガスの供給を制御する。本実施形態では、燃料ガス供給システム（ＦＧＳＳ）１４４によって、デッキ１４６上に配置されるタンク１４３から燃料ガスが供給される。一実施形態又は組み合わせの実施形態において、プロセスユニット１４５は、デッキ１４６の下方の燃焼システム１４２（メインエンジン）と共に配置される。本配置により、リークの検出及び任意の換気のための必要性が増大する。換気の入口１４７から吸引デバイス１４８への換気のガスの流れは、外部通路２０で提供され得る。換気の入り口１４７及び吸引デバイス１４８の両方が、デッキ１４６の上の周囲の空間と通じている。タンク１４９からの不活性ガスは、システムから燃料ガスをパージするために用いられ得る。不活性ガスは、ＦＧＳＳ１４４及び本発明に係るユニット１４５の両方に分配される。
【０１１９】
図１５〜図２５は、プロセスユニットの異なる実施例を示す。図１５〜図１８、図２１、及び図２２では、プロセスユニットは、バルブ、例えばバタフライバルブを形成する。図１６では、外部通路は、一方側のみ開放している一方、他の図は、外部通路が連結部周囲のチャンバを換気できるバルブを示す。図１７では、バルブがセンサと組み合わされており、図１９では、プロセスユニットがセンサユニットを形成し、さらに、図２１及び図２２では、バルブがフィルタ及びセンサ部材と組み合わされている。
【０１２０】
図１８は、外部通路及び内部通路が分岐部分を形成する実施形態を示す。
【０１２１】
図２０は、ポンプ形式のプロセスユニットを示し、図２３及び図２４はフィルタ形式のプロセスユニットを示し、図２５は、チェックバルブ形式のプロセスユニットを示す。図２２及び図２３のユニットは、フィルタの検査及び交換を可能にする制御通路２２１を備える。
【０１２２】
図２６は、内壁２６１の斜視図を示す。内壁の外面２６２は、外部通路の内面を形成する。外面２６２における表面のマーク部２６３は、内壁と連結部との間の境界、すなわち、連結部が内壁に取り付けられる別部材として形成されるか内壁と一体的に形成されるかに関わらず、連結部が内壁と結合する場所を示す。この図で、内壁の外面の５０パーセントよりも少ない部分が連結部によって占有され、外面の５０パーセント以上の残りの部分が外部通路で露出していることを明確に示す。また、短管２６４が内部開口３６から上方に上側フランジ２６５まで延びることを示す。短管２６４は、内部開口を補強して制御構造が内部通路１５にアクセスすることを容易にする。
【０１２３】
（番号付けされた実施例）
１．基端側の内側フランジと先端側の内側フランジとの間で延びて危険物質を輸送する内部通路を定義する内壁と、
内部通路で危険物質と関わるように構成されるプロセス制御構造と、
基端側の外側フランジと先端側の外側フランジとの間において内壁の周囲で延びて内壁との間で外部通路を形成する外壁と、
を備える、危険物質のためのプロセスユニット。
【０１２４】
２．内壁と外壁との間で延びてプロセス制御構造を少なくとも部分的に囲う制御通路をさらに備え、制御通路は、内壁を通じた内部通路への内部開口と、外壁を通じた外壁の外側の周囲の空間への外部開口とを形成する、第１実施例に係るプロセスユニット。
【０１２５】
３．制御通路の第１の開口と外部通路の第２の開口との間で延び、それによって、制御通路と外部通路との間で流体の伝達を生じさせる少なくとも１本の導管を有する圧力均一構造を備える、第１実施例又は第２実施例に係るプロセスユニット。
【０１２６】
４．圧力均一構造は、制御通路の第１の開口と外部通路の第２の開口との間でそれぞれ延び、それによって、同時に、それぞれにおいて制御通路と外部通路との間の流体の伝達を生じさせる少なくとも２本の導管を形成する、第３実施例に係るプロセスユニット。
【０１２７】
５．制御通路に配置されて、制御通路を通じた内部通路と外部通路との間の流れを防止する内部シール構造を備える、上記実施例のいずれか１つに係るプロセスユニット。
【０１２８】
６．制御通路に配置されて、制御通路と外部通路の外側の周囲の空間との間の流れを防止する外部シール構造を備える、上記実施例のいずれか１つに係るプロセスユニット。
【０１２９】
７．内部シール構造及び外部シール構造は、制御通路内にシールされたチャンバを定義する、第５実施例又は第６実施例に係るプロセスユニット。
【０１３０】
８．圧力均一構造の少なくとも１つの第１の開口はチャンバ内にあり、それによって、チャンバと外部通路との間で流体の伝達を生じさせる、第３実施例又は第７実施例に係るプロセスユニット。
【０１３１】
９．プロセス制御構造は、バルブ、センサ、フィルタ、ポンプ、点検機器、及びその組み合わせを構成するグループから選択される部材を備え、当該部材は、制御通路を通じて内部通路及び外部通路の外側の周囲の空間からアクセス可能であって、内部通路内の制御動作を容易にする、上記実施例のいずれか１つに係るプロセスユニット。
【０１３２】
１０．内部通路で移動可能であって、それによって、内部通路を通る流れを制御するバルブ部材と、バルブ部材を移動させるように、内部通路及び外部通路の外側に配置されるバルブアクチュエータと、アクチュエータとバルブ部材との間の連結部とを備え、連結部は制御通路で延びる、上記実施例のいずれか１つに係るプロセスユニット。
【０１３３】
１１．バルブ部材は、内部通路で回転可能であって、それによって、内部通路を通る流れを制御し、連結部は制御通路で回転可能である、第６実施例〜第８実施例のいずれか１つに係るプロセスユニット。
【０１３４】
１２．基端側の外側フランジは、基端側の内側フランジの周囲で延びる、上記実施例のいずれか１つに係るプロセスユニット。
【０１３５】
１３．基端側の外側フランジは、基端側の内側フランジと同一面内である、第１２実施例に係るプロセスユニット。
【０１３６】
１４．先端側の外側フランジは、先端側の内側フランジの周囲で延びる、上記実施例のいずれか１つに係るプロセスユニット。
【０１３７】
１５．先端側の外側フランジは、先端側の内側フランジと同一面内である、第１４実施例に係るプロセスユニット。
【０１３８】
１６．内壁及び外壁は、外壁の内面と内壁の外面との間で延びて、外壁に対して内壁が移動することを妨げる剛性の連結部によって連結され、剛性の連結部は、外部通路において閉塞空間を占め、換気用の空気を輸送するための自由空間を残す、上記実施例のいずれか１つに係るプロセスユニット。
【０１３９】
１７．自由空間は、閉塞空間の少なくとも２５パーセントを構成する、第１６実施例に係るプロセスユニット。
【０１４０】
１８．閉線形状は、先端側の内側フランジと基端側の内側フランジとの間の流れ方向に直交する断面で定義され、閉線形状は、外部通路において内壁の周囲で円周方向に延び、空気を通じて延びる閉線形状の長さは、固体物を通じて延びる閉線形状の長さの少なくとも２５パーセントを構成する、第１６実施例又は第１７実施例に係るプロセスユニット。
【０１４１】
１９．内部通路における物質圧力での危険物質の流れと、外部通路における換気圧力での換気用の空気の流れとを有する、上記実施例のいずれか１つに係るプロセスユニット。
【０１４２】
２０．換気圧力は、物質圧力よりも低い、第１９実施例に係るプロセスユニット。
【０１４３】
２１．換気圧力は、外壁の外側の周囲の圧力よりも低い、第１９実施例又は第２０実施例に係るプロセスユニット。
【０１４４】
２２．換気圧力は、物質圧力と等しい、第１９実施例に係るプロセスユニット。
【０１４５】
２３．外部通路における換気用の空気の流れは、制御通路の少なくとも一部において換気用の空気の流れを形成する、第１９実施例〜第２２実施例のいずれか１つに係るプロセスユニット。
【０１４６】
２４．外部通路における換気用の空気の流れは、制御通路における換気用の空気の流れを形成せず、内部通路における危険物質の流れは、内部シールを通じたリークの場合に、制御通路のチャンバへの、さらには外部通路への危険物質の流れを形成する、第１９実施例〜第２２実施例のいずれか１つに係るプロセスユニット。
【０１４７】
２５．内部通路における物質圧力で、外部通路において検出される流体がなく静圧での危険物質の流れを有する、第１実施例〜第２４実施例のいずれか１つに係るプロセスユニット。
【０１４８】
２６．静圧は、物質圧力よりも高い、第２５実施例に係るプロセスユニット。
【０１４９】
２７．静圧は、外部通路、及び制御通路の少なくとも一部で提供される第２５実施例〜第２６実施例に係るプロセスユニット。
【０１５０】
２８．車又は船舶の燃焼システムのための燃料システムを形成する、上記実施例のいずれか１つに係るプロセスユニット。
【０１５１】
２９．燃料システムは、ガス燃料システムである、第２８実施例に係るプロセスユニット。
【０１５２】
３０．第１実施例〜第２９実施例のいずれか１つに係る第１のプロセスユニットと、
第１実施例〜第２９実施例のいずれか１つに係る第２のプロセスユニットと、
を備え、
第１のプロセスユニットの基端側の内側フランジは、第２のプロセスユニットの先端側の内側フランジとシールされて接触して配置され、第１のプロセスユニットの基端側の外側フランジは、第２のプロセスユニットの先端側の外側フランジとシールされて接触して配置されて、第１のプロセスユニット及び第２のプロセスユニットを通じて連続的な内部通路と、第１のプロセスユニット及び第２のプロセスユニットを通じて連続的な外部通路とを提供する、危険物質を処理するためのプロセスシステム。
【図１】
2020507035.tif 000006
【図２】
2020507035.tif 000007
【図３】
2020507035.tif 000008
【図４】
2020507035.tif 000009
【図５】
2020507035.tif 000010
【図６】
2020507035.tif 000011
【図７】
2020507035.tif 000012
【図８】
2020507035.tif 000013
【図９】
2020507035.tif 000014
【図１０】
2020507035.tif 000015
【図１１】
2020507035.tif 000016
【図１２】
2020507035.tif 000017
【図１３】
2020507035.tif 000018
【図１４】
2020507035.tif 000019
【図１５】
2020507035.tif 000020
【図１６】
2020507035.tif 000021
【図１７】
2020507035.tif 000022
【図１８】
2020507035.tif 000023
【図１９】
2020507035.tif 000024
【図２０】
2020507035.tif 000025
【図２１】
2020507035.tif 000026
【図２２】
2020507035.tif 000027
【図２３】
2020507035.tif 000028
【図２４】
2020507035.tif 000029
【図２５】
2020507035.tif 000030
【図２６】
2020507035.tif 000031
【国際調査報告】
2020507035.tif 000032
2020507035.tif 000033